(57)【特許請求の範囲】
【請求項１】
合成繊維で編成した網で形成し中詰め材を充填して使用する袋材であって、袋材部に連結し、袋材の開口を閉じた口部から外に引き出される、底部と口部とを連結する中繋ぎ材を設けたことを特徴とする、耐波浪性土木工事用袋材。
【請求項２】
袋材の底部と開口を閉じた口部とを連結する中繋ぎ材が合成繊維製のロープまたはベルトである、請求項１に記載された耐波浪性土木工事用袋材。
【請求項３】
袋材の底部と開口を閉じた口部とを連結する中繋ぎ材が袋材の底部の網を束ねて口部方向に引き上げた網の集合体である、請求項１に記載された耐波浪性土木工事用袋材。
【請求項４】
中繋ぎ材が底部の網を束ねて口部方向に引き上げた網の集合体と、これに連結したロープの組み合わせである、請求項１に記載された耐波浪性土木工事用袋材。
【請求項５】
袋材の外側に底部を通って袋材の側面に配置した施工用吊りロープを有する、請求項１ないし４のいずれか１項に記載された耐波浪性土木工事用袋材。
【請求項６】
袋材の開口部近傍に口縛りロープを配置した、請求項１ないし５のいずれか１項に記載された耐波浪性土木工事用袋材。
【請求項７】
袋材の開口部近傍では口縛りロープより開口側に吊りロープを配置した、請求項１ないし６のいずれか１項に記載された耐波浪性土木工事用袋材。
【請求項８】
袋材の底部から外周にそって中詰め材を充填したる袋体の吊り上げ及び連結結束用の施工用ロープを配置した、請求項１ないし７のいずれか１項に記載された耐波浪性土木工事用袋材。
【請求項９】
請求項１ないし８のいずれか１項に記載された袋材を使用し、中詰め材充填用製作枠内に袋材を設置して中詰め材を充填し、次いで中繋ぎ材を外部に引き出して上部開口を開口部近傍に配置した口縛りロープで閉止した後製作枠から袋体を取り出し、取り出した袋体を吊り上げてから吊り下して形を整えて、次に閉止した開口から外部に引き出されている中繋ぎ材をクレーンで張り切るまで吊り上げて開口閉止部に取り付けられたリングに固縛して袋の底部と閉止した開口部とを連結することを特徴とする耐波浪性土木工事用袋体の製造方法。
【発明の詳細な説明】
【０００１】
【発明の属する技術分野】
本発明は合成繊維で編成した網で形成している袋材で砕石、砂利等の中詰め材を袋詰めし、海域における護岸、防波堤、離岸堤等の洗掘防止や、海中構造物の基礎である捨て石マウンド、緩傾斜護岸、人工リーフの表面被覆等に使用する土木工事用袋材に関する。
【０００２】
【従来の技術】
合成繊維で編成した網で形成している袋材に、砕石等の中詰め材を詰めた袋体が海岸護岸や防波堤の洗掘防止に使用されている。
この袋体は可撓性があるので、海底の不陸に対する追随性がよく、洗掘防止効果が大きいが、波浪条件が厳しい海域で使用する場合、波浪の繰り返し作用により、中詰め石材が網袋の中で動いて網材を摩耗させたり、波浪の外力により袋材が剪断変形したり、そのために袋体が移動する恐れがある。なお、不陸とは海底の凹凸形状を言う。
【０００３】
【発明が解決しようとする課題】
波浪が主たる外力である海域で、海中構造物の洗掘防止や捨て石マウンドの表面被覆等に合成繊維で編成した網で形成した袋材に砕石等の中詰め材を袋詰めした袋体を使用する場合は、海は川とは異なり種々の方向から波が繰り返し当るので、中詰め材が袋内を移動しそのため袋体の摩耗や剪断変形が発生する。したがって、この袋体は海底面や捨て石マウンド表面の不陸に対する追随性がよいということだけではなく、さらに波浪の繰り返し作用を受けても袋体の中で中詰め材が動き難く、剪断変形を生じない袋体が好ましい。中詰め材を充填した袋体に剪断変形が発生すると袋体が移動し、所定位置からずれるのである。このため本発明は石材等の中詰め材を詰めた袋が可撓性を有するとともに波浪の外力に、より剪断変形がし難い構造の土木工事用袋材を提供する。
【０００４】
【課題を解決するための手段】
本発明は、
「１．  合成繊維で編成した網で形成し中詰め材を充填して使用する袋材であって、袋材部に連結し、袋材の開口を閉じた口部から外に引き出される、底部と口部とを連結する中繋ぎ材を設けたことを特徴とする、耐波浪性土木工事用袋材。
２．  袋材の底部と開口を閉じた口部とを連結する中繋ぎ材が合成繊維製のロープまたはベルトである、１項に記載された耐波浪性土木工事用袋材。
３．  袋材の底部と開口を閉じた口部とを連結する中繋ぎ材が袋材の底部の網を束ねて口部方向に引き上げた網の集合体である、１項に記載された耐波浪性土木工事用袋材。
４．  中繋ぎ材が底部の網を束ねて口部方向に引き上げた網の集合体と、これに連結したロープの組み合わせである、１項に記載された耐波浪性土木工事用袋材。
５．  袋材の外側に底部を通って袋材の側面に配置した施工用吊りロープを有する、１項ないし４項のいずれか１項に記載された耐波浪性土木工事用袋材。
６．  袋材の開口部近傍に口縛りロープを配置した、１項ないし５項のいずれか１項に記載された耐波浪性土木工事用袋材。
７．  袋材の開口部近傍では口縛りロープより開口側に吊りロープを配置した、１項ないし６項のいずれか１項に記載された耐波浪性土木工事用袋材。
８．  袋材の底部から外周にそって中詰め材を充填したる袋体の吊り上げ及び連結結束用の施工用ロープを配置した、１項ないし７項のいずれか１項に記載された耐波浪性土木工事用袋材。
９．  １項ないし８項のいずれか１項に記載された袋材を使用し、中詰め材充填用製作枠内に袋材を設置して中詰め材を充填し、次いで中繋ぎ材を外部に引き出して上部開口を開口部近傍に配置した口縛りロープで閉止した後製作枠から袋体を取り出し、取り出した袋体を吊り上げてから吊り下して形を整えて、次に閉止した開口から外部に引き出されている中繋ぎ材をクレーンで張り切るまで吊り上げて開口閉止部に取り付けられたリングに固縛して袋の底部と閉止した開口部とを連結することを特徴とする耐波浪性土木工事用袋体の製造方法。」
に関する。
【０００５】
【発明の実施の形態】
本発明の袋材を形成する合成繊維で編成した網は、ポリアミド、ポリエステル、ポリオレフィン、ポリビニルホルマール等の合成繊維で編成したラッセル網、無結節網、かえるまた網等が好ましく、特にラッセル網が不陸のある海底に馴染みやすく好適である。
網目は１０mmから１５０mmが好ましい。１０mm以下であると袋体に波浪による抵抗が大きくなり、１５０mm以上になると充填した石材の流出が多くなる。
本発明の実施の形態を図面によって説明する。本発明で袋材とはまだ中詰め材を充填していないものを言い、袋体とは中詰め材を充填したものを言う。
【０００６】
図１に示すように、網を用いて袋材１を作製する。
袋材の底部には中繋ぎ材２が連結されており、該中繋ぎ材は袋材の開口から外に引き出されいる。
袋材の開口部近傍には吊りロープ４が配置されている。この例では網目を綴って配置されている。吊りロープより下方に口縛りロープ３が配置されているが、この例では網目を綴って配置されている。袋材の側面には底部を通って反対側の側面に向う施工用ロープ５が配置されている。
【０００７】
図２に本発明の袋材を用いて土木工事用袋体を作成するところが説明されている。土木工事用袋体の製作枠６に袋材を入れ、この中に砕石等の中詰め材を充填する。
次いで吊りロープ４をクレーンで吊り上げ、口縛りロープで袋体の口部を縛って閉じる。吊りロープに吊りリング６を結合し、該リングに中繋ぎ材を仮止めする。
次に製作枠をクレーンで吊り上げ除去する。
こうして形成された中詰め材の充填された袋体の中繋ぎ材を図３に示すようにクレーンで吊り上げ、充分に緊張したところで吊りリングに固縛する。
【０００８】
次に図４に施工するため袋体を移動し、設置するところを説明する。この例ではフックを設けたロープを有するリングをクレーンに連結し、フックを袋の施工用ロープに掛けて吊り上げて施工場所に移動して施工箇所に設置する。この場合は、フックを用いないでリングに取り付けてあるロープを直接施工用ロープに結合して吊り上げてもよい。
袋材に砕石等の中詰め材を充填した袋体に波浪の外力が作用した時に中詰め材が中繋ぎ材を押し、押された中繋ぎ材が波浪の外力が作用している方向の網を緊張することによって、中詰め材の動きを拘束するので、袋体の剪断変形が抑止され、耐波浪性が向上する。中繋ぎ材が中詰め材を充填した袋体の中心部に設けられているので、全方向からの波浪の外力に対して中詰め材の動きを拘束することができ、袋体の剪断変形を抑止し、耐波浪性を向上させることができる。
袋の上部と下部を繋ぐ中繋ぎ材は、合成繊維製のロープで太さ６mmから３０mmの紐状のものが好ましく、ベルト等帯状のものも引張強度に耐えるものであれば使用できる。中繋ぎ材は、吊りリングと袋材底部に取り付けるので括り易く、また所定の強力が得やすいものがよい。
次に中繋ぎ材として袋材の底部を用いた例を図５に示す。網で形成した袋材１の開口部近傍に網を綴って吊りロープ４が配置され、それより下方に口縛りロープ３が網を綴って配置されている。
袋材の底部は開口方向に持ち上げられて中繋ぎ材を形成しており、持ち上げられた底部で綴り合わされている。この例では、持ち上げられた底部が開口から一端が外に出ているロープに結合して中繋ぎ材を形成しているが、持ち上げられた底部の端部を開口から外に出し、底部だけで中繋ぎ材を形成してもよい。
このように底部を中繋ぎ材とする場合は、長い袋材を用いることが好ましい。
この袋材を作成枠にいれ、中詰め材を充填して袋体とするところは図２と同様である。
【０００９】
図５の袋材を用いると中詰め材の拘束が強力になり強い波浪に耐えることができる。
袋材に砕石等の中詰め材を充填した袋体を吊り上げて設置する場合、袋の開口部を閉じた箇所を吊り上げると中繋ぎ材に負荷が集中し、底部の網が引っ張られて形状が不安定になるので、袋材の底部から外周中央部近傍に施工ロープを設けて袋体を吊り上げるとよい効果が得られる。この施工用ロープは波浪条件が厳しい海域に設置され、波浪の外力により袋体が移動する恐れがある場合には隣接する袋体との連結にも利用できる。
【００１０】
【実施例】
次の実施により具体的に説明する。
実施例１
網目の大きさが２５mmで１５９０dtexのナイロン長繊維１３本からなるラッセル網３．７ｍ×５ｍを用いて５ｍの辺を二つ折りにして、上部の開口部が３．７ｍ、縁辺の長さ２．５ｍの封筒状の袋を作製した。
この袋の底部網目から３目上の網目に太さ９mmのポリエステル製のロープを全周に挿通しながら、袋の底部網を集束して絞り、挿通したロープを巻き付けて緊縛し、底部が絞られた袋を作製した。
底部が絞られた袋の底部で集束された網部に太さ１２mm、長さ７ｍのポリエステル製ロープを二つ折りにして括り付け、袋の内側に長さ約３．５ｍのロープ２本の中繋ぎ材を設けた。
次に、２本の太さ１６mmのポリエステルロープを袋の外側底部で直交させて固着し、袋の縁辺の中央まで取り付けて施工用ロープを設け、図１に示す本発明の袋材を得た。
次に１．５ｍ×１．５ｍ×高さ１．２ｍの中詰め材充填用金属製製作枠内に袋材を設置し、中繋ぎ材は製作枠上部に金属棒を渡し、仮止めした。
製作枠内に１０から２０cmの大きさの砕石約２．５立米を充填した後、中繋ぎ材を金属棒から解いて袋体の外側に出し、開口部を口縛りロープ３で閉止した。開口部閉止後、製作枠をクレーンで上方に吊り上げて袋体を取り出した。
取り出された袋体は、ほぼ製作枠の形状を保持しているため、吊りリング６にフックを有するロープを取り付けた吊り上げ治具を用いて、施工用ロープで袋体を吊り上げてから吊り下ろし、吊り上げ治具を除いて現場設置時の形状に整えた。
次に袋開口部の閉止部から袋体の外部に呼び出してある中繋ぎ材のロープをクレーンで張り切るまで吊り上げてから吊り下ろして、開口部閉止部に取り付けてある吊りリング６に固縛して、上部と下部の網を連結した。
吊り上げ治具を用い、施工用ロープで上部と下部の網を連結した状態の袋体を吊り上げて、不陸のある海底に設置したが、中繋ぎ材を設けていない袋体に比べて、不陸に対する追随性も変わらず、波浪の作用による剪断変形が少なく、耐波浪性に優れていることを確認した。
【００１１】
実施例２
網目の大きさが２５mmで１５９０dtexのナイロン長繊維１３本からなるラッセル編み３．７ｍ×７ｍを用いて７ｍの辺を二つ折りにして、上部の開口部が３．７ｍ、縁辺の長さ３．５ｍの封筒状の袋を作製した。
この袋の底部網目から３目上及び下部より１ｍの各網目に太さ９mmのポリエステル製のロープを全周に挿通しながら、袋の底部網及び底部網より１ｍのところを集束して絞り、挿通したロープを巻き付けて緊縛し、底部が２箇所絞られた図５に示す袋材を作製した。
ロープで緊縛した底部の網の長さ１ｍを束ね、これを中繋ぎ材とした。束ねた網の端部に仮止め用の２．５ｍの長さのロープ２を取り付けた。このロープも中繋ぎ材として作用する。
次に１．５ｍ×１．５ｍ×高さ１．２ｍの中詰め材充填用金属製製作枠内に袋材を設置し、中繋ぎ材の束ねた網は製作枠上部に金属棒を渡し、仮止め用ロープで仮止めした。
製作枠内に１０から２０cmの大きさの砕石約２．５立米を充填した後、止め用ロープを金属棒から解いて袋体の外側に出し、開口部を口縛りロープ３で閉止した。開口部閉止後、製作枠をクレーンで上方に吊り上げて袋体を取り出した。
取り出された袋体は、ほぼ製作枠の形状を保持しているため、吊りロープで袋体を吊り上げてから吊り下ろし、現場設置時の形状に整えた。
次に袋開口部の閉止部から袋体の外部に呼び出してある仮止め用のロープをクレーンで引っ張り、中繋ぎ材の束ねた網を開口閉止部から引き出して、開口部閉止部に取り付けてある吊りリング６に固縛して、上部と下部の網を連結した。
中繋ぎ材である束ねた網が固縛してある吊りリング６を用いて、上部と下部の網を連結した状態の袋体を吊り上げて不陸のある海底に設置したが、中繋ぎ材を設けていない袋体に比べて、不陸に対する追随性も変わらず、波浪の作用による剪断変形が少なく、耐波浪性に優れていることを確認した。
【００１２】
【発明の効果】
本発明は、合成繊維で編成した網で形成した土木工事用袋材において、袋材の中に上部と下部の網を繋ぐ中繋ぎ材を設けて、袋材に砕石等の中詰め材を充填した後、袋体の上部と下部の網を中繋ぎ材で連結することにより、不陸に対する追随性がよく、波浪の外力による剪断変形も抑止される優れた効果を奏する。
【図面の簡単な説明】
【図１】本発明の袋材の説明図である。
【図２】本発明の土木工事用袋体の製造の説明図である。
【図３】本発明の土木工事用袋体の製造工程の説明図である。
【図４】本発明の土木工事用袋体の設置の説明図である。
【図５】本発明の他の実施例の説明図である。
【符号の説明】
１  袋材
２  中繋ぎ材
３  口縛りロープ
４  吊りロープ
５  施工用ロープ
６  吊りリング
７  持ち上げた底部による中繋ぎ材
【図１】
0003911146.tif 000002
【図２】
0003911146.tif 000003
【図３】
0003911146.tif 000004
【図４】
0003911146.tif 000005
【図５】
0003911146.tif 000006